(57)【特許請求の範囲】
【請求項１】
内視鏡観察像を撮像するための固体撮像素子と、上記固体撮像素子に内視鏡観察像を結像させるための結像光学系と、特定波長のレーザ光を上記固体撮像素子に入射させないようにカットするためのレーザカットフィルタとが設けられた内視鏡の撮像部において、
上記固体撮像素子が配置されている撮像部を外装する外装ケースが軸線方向に移動可能に設けられると共に、上記レーザカットフィルタが取り付け枠に取り付けられて、上記取り付け枠を上記外装ケースの軸線に対し垂直方向に移動させることで上記レーザカットフィルタを所定位置に着脱することができるように構成され、
上記外装ケースが常態位置にある状態では、上記取り付け枠が上記外装ケースで囲まれて上記取り付け枠の外面部分が上記外装ケースの内周面に接する状態になることにより、上記レーザカットフィルタが所定位置に固定された状態になり、上記外装ケースを上記常態位置から軸線方向に移動させることにより、上記レーザカットフィルタを、上記取り付け枠に取り付けられた状態で着脱することができることを特徴とする内視鏡の撮像部。
【請求項２】
上記レーザカットフィルタが、上記結像光学系の中間部分に配置されている請求項１記載の内視鏡の撮像部。
【発明の詳細な説明】
【０００１】
【発明の属する技術分野】
この発明は、内視鏡観察像を固体撮像素子で撮像するようにした内視鏡の撮像部に関する。
【０００２】
【従来の技術】
内視鏡の撮像部においては、一般に、内視鏡観察像を撮像するための固体撮像素子と、その固体撮像素子に内視鏡観察像を結像させるための結像光学系とが設けられている。
【０００３】
そして、内視鏡観察時にレーザ光が照射される場合を考えて、特定波長のレーザ光を固体撮像素子に入射させないようにカットするためのレーザカットフィルタが結像光学系の一部に組み込まれている。
【０００４】
【発明が解決しようとする課題】
上述のような従来の内視鏡の撮像部においては、レーザカットフィルタが結像光学系の一部分に接着等によって完全に固定されている。
【０００５】
そのため、モノクロ用固体撮像素子を用いた面順次式の内視鏡の撮像部の場合、組み込まれているレーザカットフィルタではカットできない波長のレーザが用いられた場合に、例えばモニタ画面上の内視鏡観察画像が真白になって観察不能になってしまういわゆるホワイトアウト現象が発生して、良好な観察像を得ることができない。また、カラー用固体撮像素子を用いた場合にも、レーザ光によって画像が乱れてしまう場合がある。
【０００６】
そこで本発明は、波長が相違する各種レーザ光が照射された場合にいわゆるホワイトアウトや画像の乱れを防止して良好な内視鏡観察像を得ることができる内視鏡の撮像部を提供することを目的とする。
【０００７】
【課題を解決するための手段】
上記の目的を達成するため、本発明の内視鏡の撮像部は、内視鏡観察像を撮像するための固体撮像素子と、固体撮像素子に内視鏡観察像を結像させるための結像光学系と、特定波長のレーザ光を固体撮像素子に入射させないようにカットするためのレーザカットフィルタとが設けられた内視鏡の撮像部において、レーザカットフィルタを着脱自在にしたものである。
【０００８】
そして、内視鏡の撮像部を外装する外装ケースを移動可能に取り付け、外装ケースが常態位置にある場合にはその内側にレーザカットフィルタが配置され、外装ケースを常態位置から移動させることにより生じる開口部分からレーザカットフィルタを着脱することができるようにすれば、構成がシンプルである。
【０００９】
また、レーザカットフィルタは、取り付け枠に取り付けられていて、結像光学系の光軸に対して垂直方向に着脱されるようにしてもよく、そのレーザカットフィルタが、結像光学系の中間部分に配置されていてもよい。
【００１０】
【発明の実施の形態】
図面を参照して本発明の実施の形態を説明する。
図４は、眼科用内視鏡の全体構成を略示しており、短い針状の挿入部１の基端部に操作者が指先で摘んで保持する保持部１０が連結され、図示されていないビデオプロセッサ兼光源装置に接続されるコネクター３と保持部１０との間が、可撓性連結管２によって連結されている。３ａは信号コネクター部、３ｂはライトガイドコネクター部である。
【００１１】
図２は、挿入部１の基端部分と保持部１０の構成を示している。挿入部１は、直径が例えば０．８〜１．５ｍｍ程度で長さが３０〜５０ｍｍ程度のステンレス鋼管等からなる硬質パイプ製の外套管によって外装されている。
【００１２】
外套管の軸線位置には、保護管が被嵌されたグレーデッド型光ファイバロッド４（いわゆるセルフォックロッド）が、全長にわたって配置されており、挿入部１の前方の被写体の内視鏡観察像が、保持部１０内に位置するグレーデッド型光ファイバロッド４の像射出端面に伝送される。５はライトガイドファイババンドルである。
【００１３】
保持部１０の内部において、挿入部１の外套管の基端部分がロー付け等によって固着された挿入部支持筒１３とそれに連なる連結枠１４とがネジ止め連結されており、挿入部支持筒１３には、グレーデッド型光ファイバロッド４の出射端近傍部分を支持する支持枠１６が固定されている。
【００１４】
そして、保持部１０の後半部分を外装する後側外装ケース１１と先側の部分を外装する先側外装ケース１２とが、挿入部支持筒１３と連結枠１４を挟み付ける状態で、螺合部Ａにおいて螺合固定されている。１５は、シール用のＯリングである。
【００１５】
連結枠１４に芯出し調整可能に支持された芯出し筒１９には、前群結像レンズ２３ａを固着保持したパイプ状の前側鏡筒２０が、軸線方向の位置を調整可能に嵌入されて、固定ビス２１により芯出し筒１９に固定されている。
【００１６】
そして、後群結像レンズ２３ｂを固着保持した後側鏡筒２２の外周面に差し込み筒２０の後端部分が被嵌固着されて、両部材が一体化されている。その結果、前群結像レンズ２３ａと後群結像レンズ２３ｂとは、間隔をあけて同軸線上に配置されている。
【００１７】
後側鏡筒２２の後端部分には、固体撮像素子２５を支持する撮像素子枠２４の前端部が被嵌されて接着固定されており、固体撮像素子２５は、電子回路部品２７が実装された基板２６に取り付けられて撮像素子枠２４内に固定されている。
【００１８】
撮像素子枠２４の内部にはエポキシ系接着剤２８が充填されており、撮像素子枠２４の後端からは、可撓性連結管２内に通された信号ケーブル２９が後方に引き出されている。
【００１９】
そして、特定の波長の光（レーザ光）をカットして固体撮像素子２５に入射しないようにするためのレーザカットフィルタ３０が、フィルタ取り付け枠３１に取り付けられて、前群結像レンズ２３ａと後群結像レンズ２３ｂとの間の位置に配置されている。図３には、その部分の断面であるIII−III断面が示されている。
【００２０】
レーザカットフィルタ３０は、略Ｔ字状に形成されたフィルタ取り付け枠３１の先端近傍部分に固着されていて、芯出し筒１９に形成されたフィルタ嵌め込み溝３２内に挿脱自在に嵌め込まれている。その挿脱方向は、結像レンズ群２３ａ，２３ｂの光軸に対して垂直方向である。
【００２１】
そして、先側外装ケース１２が使用状態にセットされた常態においては、フィルタ取り付け枠３１の外縁が先側外装ケース１２の内周面に接する状態になり、それによってフィルタ取り付け枠３１が所定位置に固定された状態になっている。
【００２２】
図１に示されるように、螺合部Ａにおける後側外装ケース１１との螺合を緩めて先側外装ケース１２を前方に移動させると、フィルタ取り付け枠３１が外面に露出する状態になる。
【００２３】
そこで、フィルタ取り付け枠３１を外方に引っ張り出し、それに替えて、異なる波長の光（レーザ光）をカットするレーザカットフィルタ３０が取り付けられたフィルタ取り付け枠３１を装着することができる。
【００２４】
内視鏡検査時に照射されるレーザ光としては、例えばＮｄ−ＹＡＧレーザ（波長１０６０ｎｍ）、半導体レーザ（波長８０５ｎｍ）、ＫＴＰレーザ（波長５３２ｎｍ）等があり、その時用いられるレーザ光の波長に合わせてレーザカットフィルタ３０を選択使用することができるので、常にホワイトアウトや画像の乱れのない良好な内視鏡観察像を得ることができる。
【００２５】
【発明の効果】
本発明によれば、レーザカットフィルタを着脱自在にしたことにより、その時用いられるレーザ光の波長に合ったレーザカットフィルタを選択使用することができるので、波長が相違する各種レーザ光が照射された各々の場合にホワイトアウトや画像の乱れのない良好な内視鏡観察像を得ることができる。
【図面の簡単な説明】
【図１】本発明の実施の形態の外装ケースが移動されてレーザカットフィルタを着脱できる状態の内視鏡の撮像部の側面断面図である。
【図２】本発明の実施の形態の外装ケースが閉じられた常態の内視鏡の撮像部の側面断面図である。
【図３】本発明の実施の形態の図２におけるIII−III断面図である。
【図４】本発明の実施の形態の内視鏡の全体構成を示す側面図である。
【符号の説明】
Ａ  螺合部
１２  先側外装ケース
２３ａ，２３ｂ  結像レンズ
２４  撮像素子枠
２５  固体撮像素子
３０  レーザカットフィルタ
３１  フィルタ取り付け枠
３２  フィルタ嵌め込み溝
【図１】
0004274502.tif 000002
【図２】
0004274502.tif 000003
【図３】
0004274502.tif 000004
【図４】
0004274502.tif 000005